(57)【要約】【課題】GMM Informationや、MM Informationが送信されないネットワークに在圏した場合でも、自動的に時刻補正を行うこと。【解決手段】携帯端末は、在圏したネットワークから時刻情報が受信されるかどうかを判定する時刻情報受信判定部と、在圏すべきネットワークと、該ネットワークが運営されるエリアにおけるタイムゾーンとを対応付けたテーブルと、時刻情報が受信されたと判定されない場合に、テーブルを参照し、当該携帯端末が在圏しているネットワークに対応するタイムゾーンに基づいて時刻補正を行う時刻補正部とを有する。【選択図】図３
2012169709.tif 000002
【特許請求の範囲】
【請求項１】
時刻補正を行う携帯端末であって、
在圏したネットワークから時刻情報が受信されるかどうかを判定する時刻情報受信判定部と、
在圏すべきネットワークと、該ネットワークが運営されるエリアにおけるタイムゾーンとを対応付けたテーブルと、
該時刻情報受信判定部により時刻情報が受信されたと判定されない場合に、前記テーブルを参照し、当該携帯端末が在圏しているネットワークに対応するタイムゾーンに基づいて時刻補正を行う時刻補正部と
を有する、携帯端末。
【請求項２】
請求項１に記載の携帯端末において、
在圏したネットワークが前回在圏したネットワークと同じかどうかを判定する在圏ネットワーク判定部
を有し、
前記時刻補正部は、前記在圏ネットワーク判定部により在圏したネットワーク、または国が前回在圏したネットワーク、または国と異なると判定された場合に、時刻補正を行う、携帯端末。
【請求項３】
請求項１又は２に記載の携帯端末において、
前記テーブルは、前記在圏すべきネットワークとして、公衆移動通信網と、該公衆移動通信網が運営されるエリアにおけるタイムゾーンとを対応付け、
前記時刻補正部は、前記テーブルを参照し、当該携帯端末が在圏している公衆移動通信網に対応するタイムゾーンに基づいて時刻補正を行う、携帯端末。
【請求項４】
請求項１又は２に記載の携帯端末において、
前記テーブルは、前記在圏すべきネットワークとして、移動国コードと、該移動国コードが適用されるエリアにおけるタイムゾーンとを対応付け、
前記時刻補正部は、前記テーブルを参照し、当該携帯端末が在圏している移動国コードに対応するタイムゾーンに基づいて時刻補正を行う、携帯端末。
【請求項５】
請求項４に記載の携帯端末において、
前記時刻補正部は、当該携帯端末が在圏している移動国コードに対応するタイムゾーンが複数あるかどうかを判定し、
前記時刻補正部により、当該携帯端末が在圏している移動国コードに対応するタイムゾーンが複数あると判定された場合に、時刻補正が不可能であることを通知する通知部
を有する、携帯端末。
【請求項６】
時刻補正を行う携帯端末における時刻補正方法であって、
在圏したネットワークから時刻情報が受信されるかどうかを判定する時刻情報受信判定ステップと、
該時刻情報受信判定ステップにより時刻情報が受信されたと判定されない場合に、在圏すべきネットワークと、該ネットワークが運営されるエリアにおけるタイムゾーンとを対応付けたテーブルを参照し、当該携帯端末が在圏しているネットワークに対応するタイムゾーンに基づいて時刻補正を行う時刻補正ステップと
を有する、時刻補正方法。
【発明の詳細な説明】
【技術分野】
【０００１】
本発明は、携帯端末に関する。
【背景技術】
【０００２】
携帯端末には、契約国以外の国で使用することが可能なものもある。契約国以外の国で使用可能とされる場合、契約国のオペレータと、契約国以外のオペレータとがローミング契約がされていることもある。オペレータにより提供される無線通信方式には、GSM(Global System for Mobile Communications)、WCDMA(Wideband Code Division Multiple Access)が含まれる。さらに、LTE (Long Term Evolution)が含まれてもよい。
【０００３】
携帯端末は、ホームの公衆移動通信網(PLMN: public land mobile network)又はホームに相当する公衆移動通信網上で動作する。該携帯端末が公衆移動通信網を選択する。該公衆移動通信網を選択する動作として、自動モード(Automatic mode)と手動モード(Manual mode)の2種類の選択方法が規定されている。自動モードでは、優先度順に並べられたPLMNのリストが利用される。利用可能であり、且つ利用が許可されたPLMNのうち、最も優先度の高いPLMNが選択される。手動モードでは、携帯端末はユーザに利用可能なPLMNを示す。ユーザが手動で選択した場合のみ、該携帯端末は該選択されたPLMNでサービスを得ようとする。
【０００４】
携帯端末は、ネットワークからGMM Information(GPRS(General Packet Radio Service) Mobility Management Information)や、MM Information (Mobility Management Information)を受信することにより、自動的に時刻を補正することができる。例えば、GMM Informationに含まれるべき、ローカルタイムゾーン(Local time zone)、及びユニバーサルタイムアンドローカルタイムゾーンのうちの少なくとも一方に基づいて時刻を補正できる。例えば、電源がオンにされた時、圏内に復帰した時等に自動的に時刻補正が行われる。
【０００５】
携帯端末の時刻補正に関する技術が知られている（例えば、特許文献１参照）。
【先行技術文献】
【特許文献】
【０００６】
【特許文献１】特開２００５−１９８０６５号公報
【発明の概要】
【発明が解決しようとする課題】
【０００７】
同一のエリアであっても、GMM Informationを送信するオペレータと、送信しないオペレータが存在する。GMM Informationを送信しないオペレータにより運営されるネットワークに在圏しても、ユーザが携帯端末を操作することにより、手動で時刻補正することもできる。
【０００８】
携帯端末には、Universal time又はLocal timeと、Time Zoneとが格納される。Universal time、Local timeは、チャネルリクエストが送信されたエリアのタイムゾーンであったり、在圏したセルのロケーションエリア又はルーティングエリアのタイムゾーンであったりする。例えば、ユーザはタイムゾーンを手動で切り替えることにより、時刻を補正することができる。
【０００９】
しかし、手動で時刻補正を行うのは煩わしい。また、時刻補正を忘れることがある。
【００１０】
開示の携帯端末は、GMM Informationや、MM Informationが送信されないネットワークに在圏した場合でも、自動的に時刻補正を行うことを目的とする。
【課題を解決するための手段】
【００１１】
開示の一実施例の携帯端末は、
時刻補正を行う携帯端末であって、
在圏したネットワークから時刻情報が受信されるかどうかを判定する時刻情報受信判定部と、
在圏すべきネットワークと、該ネットワークが運営されるエリアにおけるタイムゾーンとを対応付けたテーブルと、
該時刻情報受信判定部により時刻情報が受信されたと判定されない場合に、前記テーブルを参照し、当該携帯端末が在圏しているネットワークに対応するタイムゾーンに基づいて時刻補正を行う時刻補正部と
を有する。
【００１２】
開示の一実施例の時刻補正方法は、
時刻補正を行う携帯端末における時刻補正方法であって、
在圏したネットワークから時刻情報が受信されるかどうかを判定する時刻情報受信判定ステップと、
該時刻情報受信判定ステップにより時刻情報が受信されたと判定されない場合に、在圏すべきネットワークと、該ネットワークが運営されるエリアにおけるタイムゾーンとを対応付けたテーブルを参照し、当該携帯端末が在圏しているネットワークに対応するタイムゾーンに基づいて時刻補正を行う時刻補正ステップと
を有する。
【発明の効果】
【００１３】
開示の実施例によれば、GMM Informationや、MM Informationが送信されないネットワークに在圏した場合でも、自動的に時刻補正を行うことができる。
【図面の簡単な説明】
【００１４】
【図１】無線通信システムの一実施例を示す図である。
【図２】携帯端末の一実施例を示すブロック図である。
【図３】PLMNタイムゾーン対応テーブルの一例を示す図である。
【図４】携帯端末の一実施例を示すブロック図である。
【図５】携帯端末の動作の一実施例を示すフローチャートである。
【図６】携帯端末の一変形例を示すブロック図である。
【図７】携帯端末の動作の一変形例を示すフローチャートである。
【図８】携帯端末の一変形例を示すブロック図である。
【図９】携帯端末の動作の一変形例を示すフローチャートである。
【発明を実施するための形態】
【００１５】
次に、本発明を実施するための形態を、以下の実施例に基づき図面を参照しつつ説明する。
なお、実施例を説明するための全図において、同一機能を有するものは同一符号を用い、繰り返しの説明は省略する。
【００１６】
＜実施例＞
＜無線通信システム＞
本携帯端末１００の一実施例が適用される無線通信システムについて説明する。
【００１７】
図１は、本携帯端末１００が適用される無線通信システムの一例を示す。
【００１８】
該無線通信システムには、携帯端末１００が含まれる。該無線通信システムには、基地局２００ｍ（ｍは、ｍ＞０の整数）が含まれる。図２には、一例として、ｍ＝２の場合が示される。少なくとも２の電気通信事業者（以下、「オペレータ」と呼ぶ）のそれぞれは、複数の基地局２００ｍのうちの幾つかを運営している。例えば、基地局２００１と、基地局２００２は、異なるオペレータにより運営されていてもよい。例えば、各基地局２００ｍが属するPLMNを運営する少なくとも２のオペレータの移動国コード(MCC: Mobile Country Code)、移動ネットワークコード(MNC: Mobile Network Code)は異なっていてもよい。
【００１９】
本携帯端末１００は、在圏したオペレータから時刻情報が受信できるかどうかを判定する。在圏したオペレータとは、位置登録したネットワークのオペレータである。例えば、在圏しているネットワークから、GMM Informationや、MM Informationが受信できるかどうかを判定する。在圏しているネットワークから、GMM Informationや、MM Informationが受信できる場合、本携帯端末１００は、該GMM Informationや、MM Informationに含まれる情報に基づいて、時刻補正を行う。具体的には、GMM Informationに含まれるべき、ローカルタイムゾーン(Local time zone)、及びユニバーサルタイムアンドローカルタイムゾーンのうちの少なくとも一方に基づいて時刻補正を行う。例えば、電源がオンにされた時、圏内に復帰した時等に自動的に時刻補正を行う。
【００２０】
在圏しているネットワークから、GMM Informationや、MM Informationが受信できない場合、本携帯端末１００は、ネットワークからの報知情報に基づいて在圏しているPLMNを特定し、該PLMNに基づいて、時刻補正を行う。例えば、本携帯端末１００は、PLMNと、該PLMNにより運営されているエリアのタイムゾーンとが対応付けられたテーブル（以下、「PLMNタイムゾーン対応テーブル」という）を有する。本携帯端末１００は、報知情報からPLMNを特定する。本携帯端末１００は、該PLMNタイムゾーン対応テーブルを参照し、報知情報から特定したPLMNに対応するタイムゾーンに設定する。
【００２１】
以下、「ネットワーク」と「PLMN」とは同義に使用される場合もある。
【００２２】
＜本携帯端末＞
図２は、本携帯端末１００の一実施例を示す。図２には、主にハードウェア構成が示される。
【００２３】
本携帯端末１００は、入力部１０２と、出力部１０４と、通信制御部１０６と、無線部１０８と、記憶部１１０と、中央演算処理装置(CPU:  Central Processing Unit)１１２とを有する。各機能ブロックは、バス１５０により接続される。本実施例では、一例として、携帯端末について説明される。携帯端末１００に限らず、国際ローミングが可能な端末装置であれば適用できる。例えば、携帯情報端末(PDA:  Personal  Digital  Assistants)などに適用できる。
【００２４】
中央演算処理装置１１２は、入力部１０２、出力部１０４、通信制御部１０６、無線部１０８、及び記憶部１１０の制御を行う。中央演算処理装置１１２は、記憶部１１０に記憶されたプログラムに従って機能し、所定の処理を行う。
【００２５】
記憶部１１０は、アプリケーションと、オペレーティングシステム(OS:  Operating  System)とを有する。アプリケーションは、ユーザが本携帯端末１００上で実行する作業を実施する機能を有するソフトウェアである。オペレーティングシステムは、本携帯端末１００において、ハードウェアを抽象化したインターフェースをアプリケーションソフトウェアに提供するソフトウェアである。
【００２６】
さらに、記憶部１１０には、PLMNタイムゾーン対応テーブルが格納される。
【００２７】
図３は、PLMNタイムゾーン対応テーブルの一例を示す。図３に示される例では、「PLMN A」により運営されているエリアのタイムゾーンは「GMT(Greenwich Mean Time) -10:00」であり、「PLMN B」により運営されているエリアのタイムゾーンは「GMT -09:00」、「GMT -08:00」であり、「PLMN C」により運営されているエリアのタイムゾーンは「GMT -08:00」であり、「PLMN D」により運営されているエリアのタイムゾーンは「GMT -07:00」、「GMT -06:00」であり、「PLMN E」により運営されているエリアのタイムゾーンは「GMT -06:00」であり、「PLMN F」により運営されているエリアのタイムゾーンは「GMT -05:00」であり、「PLMN G」により運営されているエリアのタイムゾーンは「GMT」であり、「PLMN H」により運営されているエリアのタイムゾーンは「GMT +09:00」である。複数のタイムゾーンが対応付けられているのは、運営エリアが広範囲に及んでいる場合であったり、運営エリアがタイムゾーンの境界に近いエリアであったりするためである。標準時刻は、GMTに限らず協定世界時 (UTC: Universal Time, Coordinated)等の他の時刻が利用されてもよい。
【００２８】
入力部１０２は、例えば、キーボードやマウスにより構成され、当該携帯端末１００への指示や、データの入力を行うための装置である。また、タッチパネルにより構成されてもよい。また、入力部１０２は、例えば、マイクにより構成され、ユーザにより発せられた音声を入力する。該音声には、当該携帯端末１００への指示が含まれてもよい。該指示には、オペレーティングシステムに対するものや、アプリケーションに対するものが含まれる。
【００２９】
出力部１０４は、例えば、ディスプレイにより構成され、当該携帯端末１００による処理状態や処理結果を表示する。また、出力部１０４は、例えば、スピーカにより構成され、ユーザに対して、音を出力するようにしてもよい。該処理状態や処理結果には、オペレーティングシステムやアプリケーションによるものが含まれる。ディスプレイには、液晶ディスプレイ(Liquid Crystal Display :LCD)、CRT(Cathode  Ray  Tube)ディスプレイ、プラズマディスプレイ(PDP:  Plasma  Display  Panel)、有機EL(Electro-Luminescence)ディスプレイなどが含まれる。
【００３０】
通信制御部１０６は、当該携帯端末１００を接続すべきネットワークと接続するための制御情報を生成し、また、接続すべき基地局により送信された制御情報を解析する。
【００３１】
無線部１０８は、中央演算処理装置１１２による制御により、基地局２００ｍとの間で、所定の無線通信方式により無線通信を行う。該無線通信方式には、GSM、W-CDMAが含まれる。また、LTEが含まれてもよい。例えば、通信制御部１０６により生成された制御情報を無線信号に変換して送信する。また、基地局２００ｍからの無線信号をベースバンド信号に変換する。
【００３２】
＜本携帯端末の機能＞
本携帯端末１００により実行される処理には、在圏したネットワークから時刻情報が受信できるかどうかを判定する処理が含まれる。また、本携帯端末１００により実行される処理には、在圏したネットワークから時刻情報が受信できる場合に、該時刻情報に基づいて時刻補正を行う処理が含まれる。また、本携帯端末１００により実行される処理には、在圏したネットワークから時刻情報が受信できない場合に、接続しているネットワークに基づいて、時刻補正を行う処理が含まれる。
【００３３】
図４は、本携帯端末１００の一実施例の機能ブロック図を示す。図４には、中央演算処理装置１１２により実行される機能が主に示される。
【００３４】
本携帯端末１００は、時刻情報受信判定部１１２２を有する。該時刻情報受信判定部１１２２は、通信制御部１０６から、当該携帯端末１００により受信されるべき時刻情報が入力される。例えば、当該携帯端末１００によりGMM Information、又はMM Informationが受信される場合、該GMM Information、又はMM Informationが入力される。時刻情報受信判定部１１２２は、通信制御部１０６からGMM Information、又はMM Informationが入力された場合、時刻補正部１１２４に、該GMM Information、又はMM Informationを入力する。時刻情報受信部１１２２は、通信制御部１０６からGMM Information、又はMM Informationが入力されない場合、時刻補正部１１２４に、時刻情報が受信されないことを通知する。
【００３５】
本携帯端末１００は、時刻補正部１１２４を有する。該時刻補正部１１２４は、時刻情報受信判定部１１２２、及び記憶部１１０と接続される。該時刻補正部１１２４には、接続しているPLMNを表す情報が入力される。
【００３６】
該時刻補正部１１２４は、時刻情報受信判定部１１２２によりGMM Information、又はMM Informationが入力された場合、該GMM Information、又はMM Informationに基づいて、時刻補正を行う。該時刻補正部１１２４は、時刻情報受信判定部１１２２により時刻情報が受信されないことが通知された場合、記憶部１１０に記憶されるべきPLMNタイムゾーン対応テーブルを参照し、当該携帯端末１００が在圏しているPLMNに対応するタイムゾーンに基づいて時刻補正を行う。例えば、該時刻補正部１１２４は、設定されているタイムゾーンと、PLNMに対応するタイムゾーンとの間の時差を求める。該時差の分だけ現在の時刻を補正する。
【００３７】
＜本携帯端末の動作＞
図５は、本携帯端末１００の動作の一実施例を示す。
【００３８】
携帯端末１００は、時刻情報を受信できるかどうかを判定する（ステップＳ５０２）。つまり、時刻情報受信判定部１１２２は、在圏したネットワークから、時刻情報が受信できるかどうかを判定する。
【００３９】
時刻情報を受信できると判定された場合（ステップＳ５０２：ＹＥＳ）、本携帯端末１００は、当該携帯端末１００により受信されるべき時刻情報に基づいて、時刻補正を行う（ステップＳ５０６）。つまり、時刻補正部１１２４は、時刻情報受信判定部１１２２により入力されるべき時刻情報に基づいて時刻を補正する。
【００４０】
時刻情報を受信できないと判定された場合（ステップＳ５０２：ＮＯ）、本携帯端末１００は、在圏したPLMNに対応するタイムゾーンに基づいて、時刻を補正する。つまり、本携帯端末１００は、ネットワークから送信されるべき報知情報から、在圏しているPLMNを特定できる。時刻補正部１１２４は、記憶部１１０に格納されるべきPLMNタイムゾーン対応テーブルを参照し、在圏したPLMNに対応するタイムゾーンを特定する。時刻補正部１２４は、在圏したPLMNに基づいて特定したタイムゾーンに基づいて時刻補正を行う。
【００４１】
本実施例において、PLMNの代わりに移動国コード(MCC: Mobile Country Code)が利用されてもよい。この場合、MCCと、該MCC により運営されているエリアのタイムゾーンとが対応付けられたテーブルに基づいて、在圏したネットワークのMCCに対応するタイムゾーンが求められる。在圏したネットワークのMCCに対応するタイムゾーンに基づいて時刻補正が行われる。
【００４２】
さらに、タイムゾーンの代わりに、ユニバーサルタイムが利用されてもよい。
【００４３】
本実施例によれば、在圏したネットワークから時刻情報が通知されない場合であっても、自動的に時刻補正を行うことができる。
【００４４】
＜変形例（その１）＞
本携帯端末１００の一変形例が適用される無線通信システムは、図１を参照して説明したシステムと略同一である。
【００４５】
本携帯端末１００の一変形例は、図２を参照して説明した携帯端末と略同一である。
【００４６】
＜本携帯端末１００の機能＞
本携帯端末１００により実行される処理には、第１の実施例で説明した処理に加えて、在圏したネットワークから時刻情報が受信できない場合に、在圏しているPLMNに基づいて時刻補正を行う際に、在圏しているPLMNが運営されているエリアに対応するタイムゾーンが複数ある場合に、時刻補正ができないことを通知する。どのタイムゾーンに基づいて時刻補正すべきか分からないためである。さらに、ユーザに手動で時刻補正すべきことを通知するようにしてもよい。
【００４７】
例えば、在圏しているPLMNが図３における「PLMN B」又は「PLMN D」である場合には、対応するタイムゾーンが複数あるため、どのタイムゾーンに基づいて時刻補正を行うべきか分からない。
【００４８】
図６は、本携帯端末１００の一変形例の機能ブロック図を示す。
【００４９】
図６には、中央演算処理装置１１２により実行される機能が主に示される。第１の実施例において説明した携帯端末と異なる点について主に説明する。
【００５０】
時刻補正部１１２４は、時刻情報受信判定部１１２２により時刻情報が受信されないことが通知された場合、記憶部１１０に記憶されるべきPLMNタイムゾーン対応テーブルを参照し、当該携帯端末１００が在圏しているPLMNに対応するタイムゾーンに基づいて時刻補正を行う。該時刻補正を行う際に、当該在圏しているPLMN に対応するタイムゾーンが複数ある場合、時刻補正ができないと判断する。どのタイムテーブルに基づいて時刻補正を行うべきか分からないためである。時刻補正部１１２４は、時刻補正ができないと判定した場合、通知部１１２６に、時刻補正ができないことを通知する。また時刻補正をユーザが手動で行うよう、自動で時刻補正設定画面に移行してもよい。また候補は当該複数あるタイムゾーンのみに限定してユーザに選択させてもよい。
【００５１】
本携帯端末１００は、通知部１１２６を有する。該通知部１１２６は、時刻補正部１１２４と接続される。該通知部１１２６は、時刻補正部１１２４から時刻補正ができないことが通知された場合、時刻補正ができないことをユーザに通知する。さらに、通知部１１２６は、手動で時刻補正すべきことを通知してもよい。例えば、通知部１１２６は、出力部１０４に、時刻補正ができないこと、手動で時刻補正すべきことを表示させるようにしてもよい。
【００５２】
＜本携帯端末の動作＞
図７は、本携帯端末１００の動作の一変形例を示す。
【００５３】
携帯端末１００は、時刻情報を受信できるかどうかを判定する（ステップＳ７０２）。つまり、時刻情報受信判定部１１２２は、在圏したネットワークからの時刻情報が受信できるかどうかを判定する。
【００５４】
時刻情報を受信できると判定された場合（ステップＳ７０２：ＹＥＳ），本携帯端末１００は、当該携帯端末１００により受信されるべき時刻情報に基づいて、時刻補正を行う（ステップＳ７０６）。つまり、時刻補正部１１２４は、時刻情報受信判定部１１２２により入力されるべき時刻情報に基づいて時刻を補正する。
【００５５】
時刻情報を受信できないと判定された場合（ステップＳ７０２：ＮＯ）、本携帯端末１００は、PLMNタイムゾーン対応テーブルを参照し、在圏したPLMNに対応するタイムゾーンが複数有るかどうかを判定する（ステップＳ７０４）。つまり、本携帯端末１００は、ネットワークから送信されるべき報知情報から、在圏しているPLMNを特定できる。時刻補正部１１２４は、時刻情報受信判定部１１２２から時刻情報が受信されないことが通知された場合、PLMNタイムゾーン対応テーブルを参照し、在圏したPLMNに対応するタイムゾーンが複数有るかどうかを判定する。
【００５６】
在圏したPLMNに対応するタイムゾーンが複数有ると判定された場合（ステップＳ７０４：ＹＥＳ）、本携帯端末１００は、時刻補正ができないことを通知する（ステップＳ７０８）。つまり、通知部１１２６は、時刻補正部１１２４から、在圏しているPLMNに対応するタイムゾーンが複数あることが通知された場合、時刻補正ができないことを通知する。
【００５７】
在圏したPLMNに対応するタイムゾーンが複数有ると判定されない場合（ステップＳ７０４：ＮＯ）、本携帯端末１００は、在圏したPLMNに対応するタイムゾーンに基づいて、時刻を補正する。つまり、時刻補正部１１２４は、記憶部１１０に格納されるべきPLMNタイムゾーン対応テーブルを参照し、在圏したPLMNに対応するタイムゾーンを特定し、該タイムゾーンに基づいて時刻を補正する。
【００５８】
本変形例によれば、PLMNに基づいて時刻補正ができない場合に、ユーザに手動で時刻補正を行うべきことを促すことができる。
【００５９】
＜変形例（その２）＞
本携帯端末１００の一変形例が適用される無線通信システムは、図１を参照して説明したシステムと略同一である。
【００６０】
本携帯端末１００の一変形例は、図２を参照して説明した携帯端末と略同一である。
【００６１】
＜本携帯端末１００の機能＞
本携帯端末１００により実行される処理には、第１の実施例で説明した処理に加えて、前回在圏したPLMNと、在圏したPLMNとが同じかどうかが判定される。該判定結果に基づいて、前回在圏したPLMNと同じである場合には時刻補正を行わず、前回在圏したPLMNと同じでない場合、且つ時刻情報を受信できない場合に時刻補正を行う。
【００６２】
図８は、本携帯端末１００の一変形例の機能ブロック図を示す。
【００６３】
図８には、中央演算処理装置１１２により実行される機能が主に示される。第１の実施例において説明した携帯端末と異なる点について主に説明する。
【００６４】
本携帯端末１００は、在圏PLMN判定部１１２８を有する。該在圏PLMN判定部１１２８は、時刻補正部１１２４と接続される。該在圏PLMN判定部１１２８には、在圏したPLMNを表す情報が入力される。該在圏PLMN判定部１１２８は、在圏したPLMNを表す情報に基づいて、前回在圏したPLMNと、在圏したPLMNとが同じかどうかを判定する。該在圏PLMN判定部１１２８は、判定結果を時刻補正部１１２４に入力する。
【００６５】
時刻補正部１１２４は、在圏PLMN判定部１１２８により入力されるべき判定結果が前回在圏したPLMNと、在圏したPLMNとが同じであることを表すものである場合、時刻補正を行わない。在圏したPLMNに基づいて時刻補正をおこなっても、既に設定されている時刻と同じとなるからである。時刻補正部１１２４は、在圏PLMN判定部１１２８により入力されるべき判定結果が前回在圏したPLMNと、在圏したPLMNとが異なることを表すものである場合、上述した実施例と同様に、時刻補正を行う。
【００６６】
＜本携帯端末の動作＞
図９は、本携帯端末１００の動作の一変形例を示す。
【００６７】
携帯端末１００は、在圏したPLMNが、前回在圏したPLMNと同じかどうかを判定する（ステップＳ９０２）。つまり、在圏PLMN判定部１１２８は、前回在圏したPLMNを表す情報を保持している。在圏PLMN判定部１１２８は、在圏したPLMNを表す情報に基づいて、前回在圏したPLMNと同じかどうかを判定する。
【００６８】
在圏したPLMNが、前回在圏したPLMNと同じであると判定された場合（ステップＳ９０２：ＹＥＳ）、携帯端末１００は時刻補正を行わない（ステップＳ９０４）。つまり、時刻補正部１１２４は、在圏PLMN判定部１１２８により入力されるべき判定結果が、在圏したPLMNが、前回在圏したPLMNと同じであることを表す場合、時刻補正を行わない。
【００６９】
在圏したPLMNが、前回在圏したPLMNと異なると判定された場合（ステップＳ９０２：ＮＯ）、携帯端末１００は時刻情報を受信できるかどうかを判定する（ステップＳ９０６）。つまり、時刻情報受信判定部１１２２は、在圏したネットワークから、時刻情報が受信できるかどうかを判定する。
【００７０】
時刻情報を受信できると判定された場合（ステップＳ９０６：ＹＥＳ）、本携帯端末１００は、当該携帯端末１００により受信されるべき時刻情報に基づいて、時刻補正を行う（ステップＳ９１０）。つまり、時刻補正部１１２４は、時刻情報受信判定部１１２２により入力されるべき時刻情報に基づいて時刻を補正する。
【００７１】
時刻情報を受信できないと判定された場合（ステップＳ９０６：ＮＯ）、本携帯端末１００は、在圏したPLMNに対応するタイムゾーンに基づいて、時刻を補正する。つまり、本携帯端末１００は、ネットワークから送信されるべき報知情報から、在圏しているPLMNを特定できる。時刻補正部１１２４は、記憶部１１０に格納されるべきPLMNタイムゾーン対応テーブルを参照し、在圏したPLMNに対応するタイムゾーンを特定する。時刻補正部１１２４は、在圏したPLMNに基づいて特定したタイムゾーンに基づいて時刻補正を行う。
【００７２】
本変形例において、PLMNの代わりに移動国コードが利用されてもよい。この場合、在圏したMCCと、前回在圏したMCCとが同じかどうかが判定される。
【００７３】
本変形例によれば、在圏したPLMNが前回在圏したPLMNと同じ場合には、時刻補正を行わないため、不要な処理を省略できる。
【００７４】
以上の実施例を含む実施形態に関し、更に以下の項目を開示する。
【００７５】
本携帯端末は、
時刻補正を行う携帯端末であって、
在圏したネットワークから時刻情報が受信されるかどうかを判定する時刻情報受信判定部と、
在圏すべきネットワークと、該ネットワークが運営されるエリアにおけるタイムゾーンとを対応付けたPLMNタイムゾーン対応テーブルとしての、テーブルと、
該時刻情報受信判定部により時刻情報が受信されたと判定されない場合に、前記テーブルを参照し、当該携帯端末が在圏しているネットワークに対応するタイムゾーンに基づいて時刻補正を行う時刻補正部と
を有する。
【００７６】
さらに、
在圏したネットワークが前回在圏したネットワークと同じかどうかを判定する在圏PLMN判定部としての、在圏ネットワーク判定部
を有し、
前記時刻補正部は、前記在圏ネットワーク判定部により在圏したネットワーク、または国が前回在圏したネットワーク、または国と異なると判定された場合に、時刻補正を行う。
【００７７】
さらに、
前記テーブルは、前記在圏すべきネットワークとして、公衆移動通信網と、該公衆移動通信網が運営されるエリアにおけるタイムゾーンとを対応付け、
前記時刻補正部は、前記テーブルを参照し、当該携帯端末が在圏している公衆移動通信網に対応するタイムゾーンに基づいて時刻補正を行う。
【００７８】
さらに、
前記テーブルは、前記在圏すべきネットワークとして、移動国コードと、該移動国コードが適用されるエリアにおけるタイムゾーンとを対応付け、
前記時刻補正部は、前記テーブルを参照し、当該携帯端末が在圏している移動国コードに対応するタイムゾーンに基づいて時刻補正を行う。
【００７９】
さらに、
前記時刻補正部は、当該携帯端末が在圏している移動国コードに対応するタイムゾーンが複数あるかどうかを判定し、
前記時刻補正部により、当該携帯端末が在圏している移動国コードに対応するタイムゾーンが複数あると判定された場合に、時刻補正が不可能であることを通知する通知部
を有する。
【００８０】
本時刻補正方法は、
時刻補正を行う携帯端末における時刻補正方法であって、
在圏したネットワークから時刻情報が受信されるかどうかを判定する時刻情報受信判定ステップと、
該時刻情報受信判定ステップにより時刻情報が受信されたと判定されない場合に、在圏すべきネットワークと、該ネットワークが運営されるエリアにおけるタイムゾーンとを対応付けたテーブルを参照し、当該携帯端末が在圏しているネットワークに対応するタイムゾーンに基づいて時刻補正を行う時刻補正ステップと
を有する。
【００８１】
説明の便宜上、発明の理解を促すため具体的な数値例を用いて説明されるが、特に断りのない限り、それらの数値は単なる一例に過ぎず適切な如何なる値が使用されてよい。
【００８２】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウェアで、ソフトウェアで又はそれらの組み合わせで実現されてもよい。本発明は上記実施例に限定されず、本発明の精神から逸脱することなく、様々な変形例、修正例、代替例、置換例等が包含される。
【符号の説明】
【００８３】
１００  携帯端末
１０２  入力部
１０４  出力部
１０６  通信制御部
１０８  無線部
１１０  記憶部
１１２  中央演算処理装置
１１２２  時刻情報受信判定部
１１２４  時刻補正部
１１２６  通知部
１１２８  在圏PLMN判定部
２００ｍ（ｍは、ｍ＞０の整数）  基地局
【図１】
2012169709.tif 000003
【図２】
2012169709.tif 000004
【図３】
2012169709.tif 000005
【図４】
2012169709.tif 000006
【図５】
2012169709.tif 000007
【図６】
2012169709.tif 000008
【図７】
2012169709.tif 000009
【図８】
2012169709.tif 000010
【図９】
2012169709.tif 000011